(57)【要約】      （修正有） 【課題】現実的な応答するブック・システムを提供する。【解決手段】応答するブック・システム１０は、（Ａ）検知システムを有するブック１４と、（Ｂ）記憶装置３４と、（Ｃ）リモート・レスポンダ（或いは人形１２）とを有する。前記検知システムは、前記ブックの複数の検知可能なページ１６から現在のページを検知し、前記記憶装置は、前記検知可能なページに関連するコンテンツを記憶し、前記リモート・レスポンダは、前記現在のページに関連するコンテンツを再生或いは表示する。【選択図】図１
0003209145.tif 000002
【実用新案登録請求の範囲】
【請求項１】
ブックのストリーを再生するために、ユーザにより捲られ開かれたページのコンテンツを実物を思わせる外観の人形が再生しているように見せるブック・システムにおいて、
検知可能な複数のページ（１６）と前記検知可能な複数のページから現在開いている現在のページを検出する検知システム（８４）とを有するブック（１４）と、複数の人形（１２）とを有し、
前記各人形（１２）は、受信器（２６）と、前記検知可能なページ（１６）に関連するオーディオ・コンテンツを記憶する記憶装置（３４）と、前記現在のページに関連するオーディオ・コンテンツを再生する再生手段（２２）とを有し、前記オーディオ・コンテンツを組み合わせるて、前記ブックのストリーを構成し、
前記検知システム（８４）は、前記ブック（１４）のページの断面領域に個別のゾーンを有し、前記個別のゾーンは、前記検知可能な複数のページ（１６）の１つに関連付けられ、
前記検知システム（８４）は、前記各ページの個別のゾーンにマグネット（１８）を有し、
前記検知システム（８４）は、ページをユーザが捲った時に、前記マグネット（１８）からの磁界強度の変化を検知するセンサ列（３６、４２）を、前記ブック（１４）の装丁（２０）又はカバー内に有し、前記の検出された磁界強度の変化は、特定のページを現在のページと認識するために、この特定のページに関連するパラメータであり、
前記検出された磁界強度は、前記センサ列（３６、４２）のセンサーと前記各ページの個別のゾーンにあるマグネット（１８）との間の距離に依存し、
前記各人形（１２）は、前記記憶装置（３４）にアクセスし、前記記憶装置（３４）からオーディオ・コンテンツを選択する処理ユニット（２４）を有し、
前記ブック（１４）は、前記現在のページに関する情報を前記人形（１２）の受信器（２６）に送信する送信器（３８）を有し、前記ブック（１４）の送信器（３８）から送信された現在のページに関する情報に基づき、前記処理ユニット（２４）が前記記憶装置（３４）から選択したオーディオ・コンテンツを、前記人形（１２）の再生手段（２２）が、再生する
ことを特徴とする応答するブック・システム。
【請求項２】
ブックのストリーを再生するためにユーザにより捲られ開かれたページのコンテンツを実物を思わせる外観の人形が再生しているように見せるブック・システムにおいて、
検知可能な複数のページ（１６）と前記検知可能な複数のページから現在開いている現在のページを検出する検知システム（８４）とを有するブック（１４）と、複数の人形（１２）とを有し、
前記各人形（１２）は、受信器（２６）と、前記ブック（１４）から送信された現在のページに関連するオーディオ・コンテンツを再生する再生手段（２２）とを有し、前記オーディオ・コンテンツを組み合わせると前記ブックのストリーを構成し、
前記検知システム（８４）は、前記ブック（１４）のページの断面領域に個別のゾーンを有し、前記個別のゾーンは、前記検知可能な複数のページ（１６）の１つに関連付けられ、
前記検知システム（８４）は、前記各ページの個別のゾーンにマグネット（１８）を有し、
前記検知システム（８４）は、ページをユーザが捲った時に、前記マグネット（１８）からの磁界強度の変化を検知するセンサ列（３６、４２）を、前記ブック（１４）の装丁（２０）又はカバー内に有し、前記の検出された磁界強度の変化は、特定のページを現在のページと認識するために、この特定のページに関連するパラメータであり、
前記検出された磁界強度は、前記センサ列（３６、４２）のセンサーと前記各ページの個別のゾーンにあるマグネット（１８）との間の距離に依存し、
前記ブック（１４）は、前記検知可能なページ（１６）に関連するオーディオ・コンテンツを記憶する記憶装置（３４）と、前記記憶装置（３４）から選択されたオーディオ・コンテンツを前記人形（１２）の受信器（２６）に送信する送信器（３８）とを有し、前記ブック（１４）の送信器（３８）から送信されたオーディオ・コンテンツを、前記人形（１２）の受信器（２６）が受信し、前記再生手段（２２）が再生する
ことを特徴とする応答するブック・システム。
【請求項３】
前記複数のページの内の第１ページ（１６ｃ）は、その断面領域の個別のゾーンに第１マグネット（１８Ｃ）を有し、
前記センサー列（３６，４２）に最も近いページ（１６ａ）は、第２マグネット（４４ａ）と追加マグネット（１８ａ）とを有し、
前記追加マグネット（１８ａ）は、前記センサー列（３６，４２）が前記第１ページ（１６ｃ）の第１マグネット（１８Ｃ）を検知する能力を改善する
ことを特徴とする請求項１又は２に記載のブック・システム。
【請求項４】
前記送信器（３８）は、ステレオサブチャネル（４８ａ，４８ｂ）を利用するステレオ送信機を含み、所定のページに対し、前記複数の人形（１２）の各人形（１２）の各受信器（２６）へ、前記ステレオアブチャネル（４８ａ，４８ｂ）を介して、異なる応答を含む異なる信号を送信する
ことを特徴とする請求項２に記載のブック・システム。
【請求項５】
前記各人形（１２）は、前記検知可能なページ（１６）に関連する新たなコンテンツを記録するレコーダを更に有する
ことを特徴とする請求項１又は２に記載のブック・システム。
【請求項６】
前記マグネット（１８）は前記ブックのユーザの目には見えない
ことを特徴とする請求項３記載のブック・システム。
【請求項７】
前記磁気センサ（３６）は、前記ブック（１４）の装丁又はカバー内に共振回路（８２）を有する
ことを特徴とする請求項３記載のブック・システム。
【請求項８】
前記検知システム（８４）は、第２マグネット（１８Ａ，Ｂ）を有し、
前記第２マグネット（１８Ａ，Ｂ）は、前記第１マグネット（１８Ｃ）と前記共振回路（８２）との間のページに配置され、
前記第２マグネット（１８Ａ，Ｂ）は、前記第１マグネット（１８Ｃ）の検知能力を向上させる
ことを特徴とする請求項１又は２に記載のブック・システム。
【請求項９】
前記ページ（１６）は導電性マークを有し、
前記検知システム（８４）は、前記導電性マークを検出する検知器を有し、
前記導電性マークは電気接点を含み、
前記電気接点は、前記現在のページを捲ると、隣り合うページの電気接点の間の電気回路を開閉する
ことを特徴とする請求項１又は２に記載のブック・システム。
【請求項１０】
前記各人形（１２）は、前記オーディオ・コンテンツを歌う又は喋ることにより再生する、或いはそれに合わせて踊る
ことを特徴とする請求項１又は２に記載のブック・システム。
【考案の詳細な説明】
【技術分野】
【０００１】
本考案は、ブック（例、子供向けのお伽話の本）に関し、特に応答するブック・システムに関する。
【背景技術】
【０００２】
本は、視覚的なソースから情報を得るのに用いられる。テープ又はスクリーンは、音声又はマルチメディアのソースから情報を得るのに用いられる。
【０００３】
マルチメディアのソースは、マルチメディアの表示に対しては利点があるが、本は、依然としてその物理的な表示故に好まれている。従来の技術は、カセット、ＤＶＤ、或いはソフトウエアを、本に取り付けている。
【先行技術文献】
【特許文献】
【０００４】
【特許文献１】米国特許第５８９７３２４号明細書
【特許文献１】米国特許第５４６６１５８号明細書
【考案の概要】
【考案が解決しようとする課題】
【０００５】
本考案の目的は、従来の障害或いは欠点を解決する応答するブック・システムを提供することである。
【課題を解決するための手段】
【０００６】
本考案の一態様によれば、本考案の応答するブック・システムは、
（Ａ）検知システムを有するブックと、
前記検知システムは、前記ブックの複数の検知可能なページから現在のページを検知し、
（Ｂ）記憶装置と、
前記記憶装置は、前記検知可能なページに関連するコンテンツを記憶し、
（Ｃ）リモート・レスポンダと、
前記リモート・レスポンダは、前記現在のページに関連するコンテンツを再生或いは表示する
を有する。
本考案の一態様によれば、前記リモート・レスポンダは、人形、ディスプレイ、他のオブジェクトに、組み込まれる。
【０００７】
本考案の一実施例によれば、前記ブックは、送信機を更に有し、前記送信機は、前記リモート・レスポンダに、前記現在のページを表示する信号を送信し、前記リモート・レスポンダは、前記信号を受信する受信機を有する。
本考案の一実施例によれば、前記信号は、前記現在のページを表示し、これにより、前記リモート・レスポンダは、前記現在のページに関連するコンテンツを表示する。
本考案の一実施例によれば、前記信号は、前記コンテンツを含む。
【０００８】
本考案の一態様によれば、前記送信機は、標準のステレオチャネルを利用するステレオ送信機を含み、前記ステレオチャネルの各サブチャネルは、前記リモート・レスポンダに対し異なる応答を送信する。
本考案の一実施例によれば、ブック・システムは、（Ｄ）レコーダを更に有し、前記レコーダは、前記検知可能なページに関連する新たなコンテンツを記録する。
【０００９】
本考案の一実施例によれば、前記検知システムは、
（Ｌ）前記ブックの断面領域上の個別のゾーンと、前記各個別のゾーンは、前記複数のページの１つに関連し、
（Ｍ）前記複数のページの上に配置された検知可能なマークと、
前記検知可能なマークは、前記個別のゾーンに配置され、前記ページとの関連性を提供し、
（Ｌ）前記検知可能なマークを検知するディテクタと
を有する。
【００１０】
本考案の一実施例によれば、前記検知可能なマークは、目には見えない。
本考案の一実施例によれば、前記検知可能なマークは、第１磁石を有する。
本考案の一実施例によれば、前記ディテクタは、前記ブックの装丁内の個別領域内に共振回路を有し、前記第１マグネットを検知し、前記現在のページを検知する。
【００１１】
本考案の一実施例によれば、前記検知システムは、第２マグネットを有し、前記第２マグネットは、前記第１マグネットと前記共振回路の間のページ上に前記個別領域内に配置され、前記第２のマグネットは、前記第１マグネットの検知能力を向上させる。
本考案の一実施例によれば、前記検知可能なマークは電気接点を含み、前記電気接点は、前記現在のページを捲ると、隣り合うページの電気接点の間の電気回路を開閉する。
【００１２】
本考案の一実施例によれば、応答するブックを利用する方法において、
（Ａ）前記ブック内の、複数のページから現在のページを検知するステップと、
（Ｂ）リモートレスポンダにより、前記現在のページに関連するコンテンツを再生或いは表示するステップと、
を有する。
【００１３】
本考案の一実施例によれば、応答するブックを利用する方法は、
（Ｃ）前記ブックから、前記現在のページを表す信号を送信するステップと、
（Ｄ）前記ブックからの信号を受領し、前記応答を提供するステップと
を更に有する。
【００１４】
本考案の一実施例によれば、前記（Ｃ）ステップは、ステレオ送信により行われ、前記ステレオ送信のステレオチャネルは、様々なリモートレスポンダに関連するコンテンツ或いは表示を送信する。
本考案の一実施例によれば、応答するブックを利用する方法は、
（Ｅ）ページに関連する新たなコンテンツを記録するステップを更に有する。
本考案の一実施例によれば、前記（Ａ）ステップは、ページ上にあるマグネットにより、応答回路に影響するステップを含む。
【００１５】
本考案の一実施例によれば、前記（Ａ）ステップは、前記ページ上の電気接点を用いて、ページを捲った時に、電気回路を開閉するステップを含む。
本考案の一実施例によれば、前記（Ｄ）ステップは、記録、読み出し、ムービングから選択されたモードを含む。
【図面の簡単な説明】
【００１６】
【図１】本考案の一実施例による応答するブック・システムを表す図。
【図２】本考案の他の実施例による応答するブック・システムを表す図。
【図３】本考案の一実施例によるブック・システムのブックの構成を表す図。
【図４】本考案の一実施例によるブックのページの磁界を検知するセンサの回路を表す図。
【図５】本考案の他の実施例によるブック・システムのブックの構成を表す図。
【図６】本考案の他の実施例によるブック・システムのブックの構成を表す図。
【図７】図６の実施例の３個の電気回路の構成図。
【考案を実施するための形態】
【００１７】
図１において、本考案のブック・システム１０は、ブック１４と、人形１２或いはリモート・レスポンダを有する。これ等は、信号４８に応答する。信号４８は、ブック１４の開いた現在のページ１６に関する情報を提供する。この情報は、そのページを開けた場合、そのページから次のページに移る場合、或いはそのページを開いている間に、生成される。
【００１８】
人形１２は、ブック１４から信号を受領する受信機２６と、現在のページに関連する表示を選択する処理ユニット２４と、入出力ユニット（例、スピーカ）２２等を有する。
【００１９】
受信機２６は、信号４８をブック１４から受け取る。信号４８は、無線信号或いは有線信号である。無線信号は、ブック１４内の送信機３８から送信される。
【００２０】
信号４８は、処理ユニット２４に、現在選択された本を通知する。処理ユニット２４は、これに対し所定の応答を選択する。この応答は、現在のページ１６に対するものである。これは、記憶装置３４から適宜のファイルを取り出すことにより、行われる。
【００２１】
本考案の他の実施例に於いては、ブック１４は記憶装置３４を有する。その結果、ブック１４から送信された信号４８は、既にファイルを含む。このブック１４を提供する構成は、全ての情報を含み、同様の機能を実行する別のブック１４で置換することができる。
【００２２】
入出力ユニット２２は、モーター５２でもある。その結果、人形１２の応答は、動きとなる。例えば、手５４を挙げることができる。
【００２３】
ブック・システム１０の一般的な応用例は、母親が、子供のために、寝際に本を読み聞かせることである。ページ１６を捲ると、その読んだページに合わせて、人形１２が、喋ったり、歌ったり、ダンスをしたりする。
【００２４】
リモート・レスポンダである人形１２の入出力ユニット２２は、音声或いは画像の記録用のレコーダであり、ブック１４の現在のページに依存する他のシグナリング機能を含む。
【００２５】
ブック・システム１０は、記録モードと読み出しモードとを有する。記録モードを選択すると、ブック・システム１０は、母親が読んだ物語のセクションを記憶装置３４に記録し、このセクションを検出したページ１６に関連付ける。その後、読み出しモードを選択すると、ブック・システム１０は、記憶装置３４から記録情報を読み出し、検出したページ１６に関連するストーリーのセクションを子供に読み聞かせる。
【００２６】
ブック・システム１０は、複数の人形１２を有してもよい。各人形１２は、ページ１６に対応するが、それぞれ別の態様で対応する。
【００２７】
２個の人形１２に対しては、送信機３８は、１個の標準のステレオ・チャネルを使用する。このステレオ・チャネルは、１つの人形１２用のサブチャネル４８ａ，４８ｂからなる。
【００２８】
図２において、人形１２は、物理的なオブジェクト（カン）又はディスプレイ３０である。これ等は、人形のイメージ３２を含む。ディスプレイ３０のマルチメディア・フューチャーは、スピーカである入出力ユニット２２とモーター５２の代わりをする。
【００２９】
図３に於いて、ブック１４は、ページ１６を検知する検知システム８４を有する。この検知は、各ページ１６に対しブック１４の断面領域上の個別のゾーンに基づいて、行われる。
【００３０】
ブック１４の装丁２０は、電力を供給するバッテリ４０と、信号４８を人形１２に送信する送信機３８と、センサー列例えばセンサ３６，４２とを有する。このセンサ列は、それぞれは装丁２０上の別々の場所に配置され、各場所は１ページに関連している。
【００３１】
検知すべき各ページ１６は、検知可能なマークを有する。例えばページ１６Ａに対してはマーク４４ａ、ページ１６Ｃに対してはマーク１８Ｃであり、各マークは関連するセンサの上方に配置される。
本考案の一実施例によれば。検知可能なマークは磁石を含む。この磁石は、ページ内に埋め込まれており、見ることは出来ない。
【００３２】
ブック１４の断面領域において、ページ１６Ａの個別の領域は、マグネットのゾーンマーク４４ａであり、装丁２０はセンサ４２を有し、そのセンサ４２でページ１６Ａを検知する。
ページ１６Ａの断面領域はマーク４４ａを有する。マーク４４ａはセンサ４２の上方に配置される。ページ１６Ｃは、センサ３６の上方に配置されたマーク１８Ｃを有する。
【００３３】
この実施例においては、センサ４２は、磁界の変化を検出することにより、ページ１６Ａを検知する。その理由は、ページ１６Ａ上のマグネットであるマーク４４ａは、センサ４２までの距離が、数ｍｍ（ページ１６Ａ上で強い磁界を生成する場合）から、数ｃｍ（ページ１６Ａを捲った場合）まで変化するからである。
ブック１４のマグネットであるマーク４４ａ或いは他のマグネットは、ページ１６の断面内に挿入されて、見ることは出来ない。
【００３４】
図４において、各センサ３６，４２は共振回路８２を有する。共振回路８２は、抵抗Ｒ、インダクタＬ、キャパシタンスＣからなる共振器を構成する。マグネットであるマーク１８Ｃは、この共振回路に影響を及ぼし、センサ３６が、電圧出力Ｖｏｕｔを変化させるマーク１８Ｃを検知し、この検知信号が、増幅器Ａにより増幅されて、送信機３８へ入力する。
【００３５】
図５は図３に類似するが、以下の点で異なる。マグネット１８Ａをページ１６Ａ内に、マグネット１８Ｂをページ１６Ｂ内に、追加している。これにより、ページ１６Ｃのマーク１８Ｃの検知能力を改善する。
ページ１６Ａ内のマグネット１８Ａと、ページ１６Ｂ内のマグネット１８Ｂと、ページ１６Ｃ内のマーク１８Ｃが、磁界を蓄積してセンサ３６まで届かせる。その結果、装丁２０に伏せた（重なる）位置にあるページ１６Ｃ上のマーク１８Ｃの存在が、厚い本でも検知可能となる。
【００３６】
図６において、この実施例によれば、検知可能なマーク４４Ａとマーク１８Ｃは、電気接点を含む。
【００３７】
各ページ１６Ａ、１６Ｂ、１６Ｃは、導電性材料でコーティングされたスクエアのアレイを含み、これ等を閉じて、現在のページに応じて、電気回路を構成する。
【００３８】
図６の例は３個の電気回路を示す。その第１の電気回路は、ページ１６Ａを検知する抵抗（負荷）Ｒ１を有し、第２の電気回路はページ１６Ｂを検知する抵抗（負荷）Ｒ２を有し、第３の電気回路はページ１６Ｃを検知する抵抗（負荷）Ｒ３を有する。
各抵抗（負荷）Ｒ１，Ｒ２，Ｒ３は、そのページのセンサを表し、例えば負荷Ｒ３を流れる電流は、ページ１６Ｃを検知するセンサ３６を表す。
【００３９】
図７において、ページ１６Ａは、装丁２０のスクエア５０をページ１６Ａのスクエア５８に接続し、ページ１６Ａのスクエア６４を装丁２０のスクエア５６に接続し、斯くして負荷Ｒ１の回路を閉じる。
【００４０】
ページ１６Ａは、装丁２０のスクエア５０をページ１６Ａのスクエア５８に接続し、ページ１６Ａのスクエア６２を装丁２０のスクエア５４に接続する。
ページ１６Ｂは、ページ１６Ａのスクエア５８をページ１６Ｂのスクエア６６に接続し、ページ１６Ｂのスクエア７０をページ１６Ａのスクエア６２に接続し、負荷Ｒ２の回路を閉じる。
【００４１】
ページ１６Ａは、装丁２０のスクエア５０をページ１６Ａのスクエア５８に接続し、ページ１６Ａのスクエア６０を装丁２０のスクエア５２に接続する。
ページ１６Ｂは、ページ１６Ａのスクエア５８をページ１６Ｂのスクエア６６に接続し、ページ１６Ｂのスクエア６８をページ１６Ａのスクエア６０に接続する。
ページ１６Ｃは、ページ１６Ｂのスクエア６６をページ１６Ｃのスクエア７４に接続し、ページ１６Ｃのスクエア７６をページ１６Ｂのスクエア６８に接続し、負荷Ｒ３の回路を閉じる。
【００４２】
送信機３８は、電流が負荷Ｒ３に流れると、ページ１６Ｃの適宜の信号を送信する。電流が負荷Ｒ２に流れるが負荷Ｒ３には流れないと、ページ１６Ｃの適宜の信号を送信する。電流が負荷Ｒ１に流れるが負荷Ｒ２には流れないと、ページ１６Ａの適宜の信号を送信する。以下同様である。
【００４３】
更なる導電性のスクエアを、導電性プリントにより形成された断面領域に分散配置することもできる。ページにより形成される２進バイナリ或いは他のロジックでオーガナイズされ、ブック１４の各ページに対する十分な組み合わせも提供できる。
【００４４】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００４５】
１０  ブック・システム
１２  人形：本のページの捲りに応答するリモート・レスポンダの一例
１４  ブック
１６  ページ
１８  マグネット：マーク１８Ｃの検知を改善するためにマーク１８Ｃの前方に配置される
１８Ｃ  ページのマーク：磁石でもある。
２０  本の装丁
２２  入出力ユニット：リモート・レスポンダの入出力ユニット、出力としてはスピーカでもある。
２４  処理ユニット
２６  受信機
２８  制御ボックス：ブックとディスプレイとの間に配置される。
３０  ディスプレイ：ページをめくるのに応答するツール。
３２  イメージ：人形の代わりをする。
３４  記憶装置：画像信号、音声信号、人形の動きを記憶する。
３６  センサ：ページのあるゾーンで検知可能なマークを含む。
３８  送信機：本の送信機
４０  バッテリ：本のバッテリ
４２  センサ：ページのあるゾーンで検知可能なマークを含む。
４４ａ  マーク：ページのマーク
４８  信号
４８ａ，４８ｂ  サブチャネル
５０，５２，５４，５６  スクエア：電気接点でもある。
５８，６０，６２，６４，６６，７０，７２，７４，７６，７８  電気接点：ページを検知するマークでもある。
８２  共振回路
８４  検知システム：現在のページを検知する。
【手続補正書】
【提出日】平成28年12月5日(2016.12.5)
【手続補正１】
【補正対象書類名】実用新案登録請求の範囲
【補正対象項目名】全文
【補正方法】変更
【補正の内容】
【実用新案登録請求の範囲】
【請求項１】
ブックのストリーを再生するために、ユーザにより捲られ開かれたページのコンテンツを実物を思わせる外観の人形が再生しているように見せるブック・システムにおいて、
検知可能な複数のページ（１６）と前記検知可能な複数のページから現在開いている現在のページを検出する検知システム（８４）とを有するブック（１４）と、複数の人形（１２）とを有し、
前記各人形（１２）は、受信器（２６）と、前記検知可能なページ（１６）に関連するオーディオ・コンテンツを記憶する記憶装置（３４）と、前記現在のページに関連するオーディオ・コンテンツを再生する再生手段（２２）とを有し、前記オーディオ・コンテンツを組み合わせるて、前記ブックのストリーを構成し、
前記検知システム（８４）は、前記ブック（１４）のページの断面領域に個別のゾーンを有し、前記個別のゾーンは、前記検知可能な複数のページ（１６）の１つに関連付けられ、
前記検知システム（８４）は、前記各ページの個別のゾーンにマグネット（１８）を有し、
前記検知システム（８４）は、ページをユーザが捲った時に、前記マグネット（１８）からの磁界強度の変化を検知するセンサ列（３６、４２）を、前記ブック（１４）の装丁（２０）又はカバー内に有し、前記の検出された磁界強度の変化は、特定のページを現在のページと認識するために、この特定のページに関連するパラメータであり、
前記検出された磁界強度は、前記センサ列（３６、４２）のセンサーと前記各ページの個別のゾーンにあるマグネット（１８）との間の距離に依存し、
前記各人形（１２）は、前記記憶装置（３４）にアクセスし、前記記憶装置（３４）からオーディオ・コンテンツを選択する処理ユニット（２４）を有し、
前記ブック（１４）は、前記現在のページに関する情報を前記人形（１２）の受信器（２６）に送信する送信器（３８）を有し、前記ブック（１４）の送信器（３８）から送信された現在のページに関する情報に基づき、前記処理ユニット（２４）が前記記憶装置（３４）から選択したオーディオ・コンテンツを、前記人形（１２）の再生手段（２２）が、再生する
ことを特徴とする応答するブック・システム。
【請求項２】
ブックのストリーを再生するためにユーザにより捲られ開かれたページのコンテンツを実物を思わせる外観の人形が再生しているように見せるブック・システムにおいて、
検知可能な複数のページ（１６）と前記検知可能な複数のページから現在開いている現在のページを検出する検知システム（８４）とを有するブック（１４）と、複数の人形（１２）とを有し、
前記各人形（１２）は、受信器（２６）と、前記ブック（１４）から送信された現在のページに関連するオーディオ・コンテンツを再生する再生手段（２２）とを有し、前記オーディオ・コンテンツを組み合わせると前記ブックのストリーを構成し、
前記検知システム（８４）は、前記ブック（１４）のページの断面領域に個別のゾーンを有し、前記個別のゾーンは、前記検知可能な複数のページ（１６）の１つに関連付けられ、
前記検知システム（８４）は、前記各ページの個別のゾーンにマグネット（１８）を有し、
前記検知システム（８４）は、ページをユーザが捲った時に、前記マグネット（１８）からの磁界強度の変化を検知するセンサ列（３６、４２）を、前記ブック（１４）の装丁（２０）又はカバー内に有し、前記の検出された磁界強度の変化は、特定のページを現在のページと認識するために、この特定のページに関連するパラメータであり、
前記検出された磁界強度は、前記センサ列（３６、４２）のセンサーと前記各ページの個別のゾーンにあるマグネット（１８）との間の距離に依存し、
前記ブック（１４）は、前記検知可能なページ（１６）に関連するオーディオ・コンテンツを記憶する記憶装置（３４）と、前記記憶装置（３４）から選択されたオーディオ・コンテンツを前記人形（１２）の受信器（２６）に送信する送信器（３８）とを有し、前記ブック（１４）の送信器（３８）から送信されたオーディオ・コンテンツを、前記人形（１２）の受信器（２６）が受信し、前記再生手段（２２）が再生する
ことを特徴とする応答するブック・システム。
【請求項３】
前記複数のページの内の第１ページ（１６ｃ）は、その断面領域の個別のゾーンに第１マグネット（１８Ｃ）を有し、
前記センサー列（３６，４２）に最も近いページ（１６ａ）は、第２マグネット（４４ａ）と追加マグネット（１８ａ）とを有し、
前記追加マグネット（１８ａ）は、前記センサー列（３６，４２）が前記第１ページ（１６ｃ）の第１マグネット（１８Ｃ）を検知する能力を改善する
ことを特徴とする請求項１又は２に記載のブック・システム。
【請求項４】
前記送信器（３８）は、ステレオサブチャネル（４８ａ，４８ｂ）を利用するステレオ送信機を含み、所定のページに対し、前記複数の人形（１２）の各人形（１２）の各受信器（２６）へ、前記ステレオサブチャネル（４８ａ，４８ｂ）を介して、異なる応答を含む異なる信号を送信する
ことを特徴とする請求項２に記載のブック・システム。
【請求項５】
前記各人形（１２）は、前記検知可能なページ（１６）に関連する新たなコンテンツを記録するレコーダを更に有する
ことを特徴とする請求項１又は２に記載のブック・システム。
【請求項６】
前記マグネット（１８）は前記ブックのユーザの目には見えない
ことを特徴とする請求項３記載のブック・システム。
【請求項７】
前記ブック（１４）の装丁又はカバー内に、共振回路（８２）を有する
ことを特徴とする請求項３記載のブック・システム。
【請求項８】
前記検知システム（８４）は、第２マグネット（１８Ａ，Ｂ）を有し、
前記第２マグネット（１８Ａ，Ｂ）は、前記第１マグネット（１８Ｃ）と前記共振回路（８２）との間のページに配置され、
前記第２マグネット（１８Ａ，Ｂ）は、前記第１マグネット（１８Ｃ）の検知能力を向上させる
ことを特徴とする請求項７に記載のブック・システム。
【請求項９】
前記ページ（１６）は導電性マークを有し、
前記検知システム（８４）は、前記導電性マークを検出する検知器を有し、
前記導電性マークは電気接点を含み、
前記電気接点は、前記現在のページを捲ると、隣り合うページの電気接点の間の電気回路を開閉する
ことを特徴とする請求項１又は２に記載のブック・システム。
【請求項１０】
前記各人形（１２）は、前記オーディオ・コンテンツを歌う又は喋ることにより再生する、或いはそれに合わせて踊る
ことを特徴とする請求項１又は２に記載のブック・システム。
【手続補正書】
【提出日】平成28年12月7日(2016.12.7)
【手続補正１】
【補正対象書類名】図面
【補正対象項目名】全図
【補正方法】追加
【補正の内容】
【図１】
0003209145.tif 000003
【図２】
0003209145.tif 000004
【図３】
0003209145.tif 000005
【図４】
0003209145.tif 000006
【図５】
0003209145.tif 000007
【図６】
0003209145.tif 000008
【図７】
0003209145.tif 000009